(57)【要約】【課題】利用者の満足度を向上させる。【解決手段】撮影処理部は、利用者を被写体として撮影し、撮影画像を出力し、編集処理部は、撮影画像に対して利用者に編集入力を行わせ、編集が施された編集済み画像を出力し、出力処理部は、撮影画像または編集済み画像を、シール紙に印刷された印刷画像および／または所定の端末に送信するための送信用画像として出力する。撮影画像、編集済み画像、印刷画像、および送信用画像の全て、または少なくともいずれか１つは、撮影画像における被写体の状態に応じて変更されて出力される。本発明は、例えば、写真シール作成装置に適用することができる。【選択図】図１０
2014216946.tif 000002
【特許請求の範囲】
【請求項１】
利用者を被写体として撮影し、撮影画像を出力する撮影処理手段と、
前記撮影画像に対して前記利用者に編集入力を行わせ、編集が施された編集済み画像を出力する編集処理手段と、
前記撮影画像または前記編集済み画像を、シール紙に印刷された印刷画像および／または所定の端末に送信するための送信用画像として出力する出力処理手段と
を備え、
前記撮影画像、前記編集済み画像、前記印刷画像、および前記送信用画像の全て、または少なくともいずれか１つは、前記撮影画像における前記被写体の状態に応じて変更されて出力される
画像出力装置。
【請求項２】
前記撮影処理手段は、前記利用者に、前記被写体として撮影される前記利用者の人数を選択させ、
前記撮影画像、前記編集済み画像、前記印刷画像、および前記送信用画像の全て、または少なくともいずれか１つは、前記利用者の人数に応じて変更されて出力される
請求項１に記載の画像出力装置。
【請求項３】
前記撮影処理手段は、前記被写体として撮影される前記利用者の人数を検知し、
前記撮影画像、前記編集済み画像、前記印刷画像、および前記送信用画像の全て、または少なくともいずれか１つは、前記利用者の人数に応じて変更されて出力される
請求項１に記載の画像出力装置。
【請求項４】
前記撮影処理手段は、前記利用者の人数に応じた画角で、前記被写体を撮影する
請求項２または３に記載の画像出力装置。
【請求項５】
前記撮影処理手段は、前記利用者の人数に応じた回数だけ、前記被写体を撮影する
請求項２乃至４のいずれかに記載の画像出力装置。
【請求項６】
前記撮影処理手段は、前記利用者の人数に応じて前記利用者それぞれを識別し、前記利用者それぞれの前記撮影画像を出力する識別撮影を行う
請求項２乃至５のいずれかに記載の画像出力装置。
【請求項７】
前記利用者に光を照射する照明手段をさらに備え、
前記撮影処理手段は、前記利用者の人数に応じて前記照明手段によって照射される光の光量を制御して、前記被写体を撮影する
請求項２乃至６のいずれかに記載の画像出力装置。
【請求項８】
前記編集処理手段は、前記利用者による編集入力の対象となる編集対象画像の編集画面への表示を制御し、前記利用者の人数に応じた画角の前記編集対象画像の表示を制御する
請求項２または３に記載の画像出力装置。
【請求項９】
前記編集処理手段は、前記利用者の人数に応じたレイアウトの前記編集画面の表示を制御する
請求項８に記載の画像出力装置。
【請求項１０】
前記編集処理手段は、前記利用者に選択され、前記編集対象画像に合成される合成用画像であって、前記利用者の人数に応じた合成用画像の表示を制御する
請求項８または９に記載の画像出力装置。
【請求項１１】
前記出力処理手段は、前記撮影画像または前記編集済み画像を、前記印刷画像として前記シール紙に印刷する印刷処理手段を備え、
前記印刷処理手段は、前記利用者の人数に応じた画角の前記印刷画像を前記シール紙に印刷する
請求項２または３に記載の画像出力装置。
【請求項１２】
前記印刷処理手段は、前記利用者の人数に応じたレイアウトで前記印刷画像が配置された前記シール紙を印刷する
請求項１１に記載の画像出力装置。
【請求項１３】
前記出力処理手段は、前記撮影画像または前記編集済み画像を、前記送信用画像として前記所定の端末に送信する送信処理手段を備え、
前記送信処理手段は、前記利用者の人数に応じた画角の前記送信用画像を前記所定の端末に送信する
請求項２または３に記載の画像出力装置。
【請求項１４】
前記撮影処理手段は、前記利用者に、前記撮影画像における前記被写体の写りを選択させ、
前記撮影画像、前記編集済み画像、前記印刷画像、および前記送信用画像の全て、または少なくともいずれか１つは、前記被写体の写りに応じて変更されて出力される
請求項１に記載の画像出力装置。
【請求項１５】
画像出力装置の画像出力方法であって、
利用者を被写体として撮影し、撮影画像を出力し、
前記撮影画像に対して前記利用者に編集入力を行わせ、編集が施された編集済み画像を出力し、
前記編集済み画像を、シール紙に印刷された印刷画像および／または所定の端末に送信するための送信用画像として出力する
ステップを含み、
前記撮影画像、前記編集済み画像、前記印刷画像、および前記送信用画像の全て、または少なくともいずれか１つは、前記撮影画像における前記被写体の状態に応じて変更されて出力される
画像出力方法。
【請求項１６】
コンピュータに、
利用者を被写体として撮影し、撮影画像を出力し、
前記撮影画像に対して前記利用者に編集入力を行わせ、編集が施された編集済み画像を出力し、
前記編集済み画像を、シール紙に印刷された印刷画像および／または所定の端末に送信するための送信用画像として出力する
ステップを含む処理を実行させ、
前記撮影画像、前記編集済み画像、前記印刷画像、および前記送信用画像の全て、または少なくともいずれか１つは、前記撮影画像における前記被写体の状態に応じて変更されて出力される
プログラム。
【発明の詳細な説明】
【技術分野】
【０００１】
本発明は、画像出力装置および方法、並びにプログラムに関し、特に、利用者の満足度を向上させることができるようにする画像出力装置および方法、並びにプログラムに関する。
【背景技術】
【０００２】
利用者を撮影し、撮影画像に対して利用者に編集を行わせ、編集後の画像をシール紙に印刷して提供する写真シール機が知られている。このような写真シール機は娯楽（遊戯）施設等に設置される。
【０００３】
写真シール機によって提供される１ゲームの流れは、通常、撮影空間内にいる利用者を被写体として撮影し、利用者を編集空間に移動させ、編集空間内で行われる操作に従って画像を編集し、編集後の画像である編集済み画像をシール紙に印刷して排出するという流れになる。
【０００４】
このような一連のゲームにおいて、利用者は、撮影の際に、撮影に関するコースを選択することができる。このコースには、撮影画像における利用者の写りを選択するためのコースや、撮影する利用者の人数を選択するためのコースがあり、利用者は、その日の気分や人数に応じて、これらのコースを選択することができる。
【０００５】
ところで、写真シール機の中には、利用者の人数を受け付け、その人数に応じて、編集時に表示させる編集画面の編集ユニットへの割り当てや、撮影作業や編集作業の制限時間を制御するようにしたものがある（例えば、特許文献１参照）。
【０００６】
また、撮影画像に合成される合成用画像として、縦型の合成用画像と横型の合成用画像のいずれかを、撮影回数分だけ利用者に選択させ、縦型と横型とが交互に選択された場合であっても、同形状の合成用画像が複数回の撮影の前半と後半とにまとまるように、合成用画像を並びかえ、その順で撮影を行うようにした写真シール機がある（例えば、特許文献２参照）。これによれば、利用者は、撮影の度に、縦型の合成用画像や横型の合成用画像にあった立ち位置に移動する必要がなくなる。
【先行技術文献】
【特許文献】
【０００７】
【特許文献１】特開２００６−４７８２４号公報
【特許文献２】特開２０１２−３９４１４号公報
【発明の概要】
【発明が解決しようとする課題】
【０００８】
しかしながら、特許文献１の写真シール機では、利用者の人数に関わらず、同一の画角の撮影画像が得られるため、人数に応じて、利用者は立ち位置を自分たちで調整する必要があった。立ち位置をうまく調整できなかった場合、利用者は、カメラに極端に近い位置で撮影されたり、逆に、カメラから遠い位置で撮影されてしまい、結果として、被写体の配置のバランスの悪い撮影画像が得られてしまう恐れがあった。
【０００９】
一方、特許文献２の写真シール機では、例えば人数が多い場合には、利用者は、横型の合成用画像を選択することで、その画角に利用者が収まる撮影画像を得ることができる。しかしながら、その撮影画像も画角は一定であるため、立ち位置をうまく調整できなかった場合には、特許文献１の写真シール機と同様、被写体の配置のバランスの悪い撮影画像が得られてしまう恐れがあった。
【００１０】
また、近年のデジタルカメラには、人物の顔領域を認識し、その認識結果に基づいて、撮影画角を設定するようにしたものがあるが、写真シール機のように、撮影の際に、被写体となる利用者自身が、その日の気分や人数に応じてコースを選択することはできず、得られる撮影画像が、必ずしも利用者の満足するものになるとは限らなかった。さらに、撮影の度に人物の顔領域を認識するようにした場合、その処理に時間がかかるので、結果として、撮影処理全体の時間が長くなってしまい、利用者の満足度を低下させる恐れがあった。
【００１１】
本発明は、このような状況に鑑みてなされたものであり、利用者の満足度を向上させることができるようにするものである。
【課題を解決するための手段】
【００１２】
本発明の一側面の画像出力装置は、利用者を被写体として撮影し、撮影画像を出力する撮影処理手段と、前記撮影画像に対して前記利用者に編集入力を行わせ、編集が施された編集済み画像を出力する編集処理手段と、前記撮影画像または前記編集済み画像を、シール紙に印刷された印刷画像および／または所定の端末に送信するための送信用画像として出力する出力処理手段とを備え、前記撮影画像、前記編集済み画像、前記印刷画像、および前記送信用画像の全て、または少なくともいずれか１つは、前記撮影画像における前記被写体の状態に応じて変更されて出力される。
【００１３】
前記撮影処理手段には、前記利用者に、前記被写体として撮影される前記利用者の人数を選択させ、前記撮影画像、前記編集済み画像、前記印刷画像、および前記送信用画像の全て、または少なくともいずれか１つは、前記利用者の人数に応じて変更されて出力されるようにすることができる。
【００１４】
前記撮影処理手段には、前記被写体として撮影される前記利用者の人数を検知させ、前記撮影画像、前記編集済み画像、前記印刷画像、および前記送信用画像の全て、または少なくともいずれか１つは、前記利用者の人数に応じて変更されて出力されるようにすることができる。
【００１５】
前記撮影処理手段には、前記利用者の人数に応じた画角で、前記被写体を撮影させることができる。
【００１６】
前記撮影処理手段には、前記利用者の人数に応じた回数だけ、前記被写体を撮影させることができる。
【００１７】
前記撮影処理手段には、前記利用者の人数に応じて前記利用者それぞれを識別し、前記利用者それぞれの前記撮影画像を出力する識別撮影を行わせることができる。
【００１８】
前記利用者に光を照射する照明手段をさらに設け、前記撮影処理手段には、前記利用者の人数に応じて前記照明手段によって照射される光の光量を制御して、前記被写体を撮影させることができる。
【００１９】
前記編集処理手段には、前記利用者による編集入力の対象となる編集対象画像の編集画面への表示を制御させ、前記利用者の人数に応じた画角の前記編集対象画像の表示を制御させることができる。
【００２０】
前記編集処理手段には、前記利用者の人数に応じたレイアウトの前記編集画面の表示を制御させることができる。
【００２１】
前記編集処理手段には、前記利用者に選択され、前記編集対象画像に合成される合成用画像であって、前記利用者の人数に応じた合成用画像の表示を制御させことができる。
【００２２】
前記出力処理手段には、前記撮影画像または前記編集済み画像を、前記印刷画像として前記シール紙に印刷する印刷処理手段を設け、前記印刷処理手段には、前記利用者の人数に応じた画角の前記印刷画像を前記シール紙に印刷させることができる。
【００２３】
前記印刷処理手段には、前記利用者の人数に応じたレイアウトで前記印刷画像が配置された前記シール紙を印刷させることができる。
【００２４】
前記出力処理手段には、前記撮影画像または前記編集済み画像を、前記送信用画像として前記所定の端末に送信する送信処理手段を設け、前記送信処理手段には、前記利用者の人数に応じた画角の前記送信用画像を前記所定の端末に送信させることができる。
【００２５】
前記撮影処理手段には、前記利用者に、前記撮影画像における前記被写体の写りを選択させ、前記撮影画像、前記編集済み画像、前記印刷画像、および前記送信用画像の全て、または少なくともいずれか１つは、前記被写体の写りに応じて変更されて出力されるようにすることができる。
【００２６】
本発明の一側面の画像出力方法は、画像出力装置の画像出力方法であって、利用者を被写体として撮影し、撮影画像を出力し、前記撮影画像に対して前記利用者に編集入力を行わせ、編集が施された編集済み画像を出力し、前記編集済み画像を、シール紙に印刷された印刷画像および／または所定の端末に送信するための送信用画像として出力するステップを含み、前記撮影画像、前記編集済み画像、前記印刷画像、および前記送信用画像の全て、または少なくともいずれか１つは、前記撮影画像における前記被写体の状態に応じて変更されて出力される。
【００２７】
本発明の一側面のプログラムは、コンピュータに、利用者を被写体として撮影し、撮影画像を出力し、前記撮影画像に対して前記利用者に編集入力を行わせ、編集が施された編集済み画像を出力し、前記編集済み画像を、シール紙に印刷された印刷画像および／または所定の端末に送信するための送信用画像として出力するステップを含む処理を実行させ、前記撮影画像、前記編集済み画像、前記印刷画像、および前記送信用画像の全て、または少なくともいずれか１つは、前記撮影画像における前記被写体の状態に応じて変更されて出力される。
【００２８】
本発明の一側面においては、撮影画像、編集済み画像、印刷画像、および送信用画像の全て、または少なくともいずれか１つは、撮影画像における被写体の状態に応じて変更されて出力される。
【発明の効果】
【００２９】
本発明によれば、利用者の満足度を向上させることが可能となる。
【図面の簡単な説明】
【００３０】
【図１】本発明の一実施の形態に係る写真シール作成装置の外観の構成例を示す斜視図である。
【図２】写真シール作成装置の外観を他の角度からみた斜視図である。
【図３】利用者の移動について説明する図である。
【図４】撮影部の構成例を示す図である。
【図５】背景部の構成例を示す図である。
【図６】編集部の構成例を示す図である。
【図７】床材の平面図である。
【図８】事後接客部の構成例を示す図である。
【図９】写真シール作成装置の内部の構成例を示すブロック図である。
【図１０】制御部の詳細な構成例を示す機能ブロック図である。
【図１１】写真シール作成ゲーム処理の流れの例を説明するフローチャートである。
【図１２】撮影処理について説明するフローチャートである。
【図１３】人数選択画面の例を示す図である。
【図１４】立ち位置の案内画面の例を示す図である。
【図１５】２人用コースにおける撮影画面の例を示す図である。
【図１６】２人用コースにおける撮影画像の画角を示す図である。
【図１７】識別撮影時の撮影画面の例を示す図である。
【図１８】識別撮影時の撮影画面の他の例を示す図である。
【図１９】３人用コースにおける撮影画面の例を示す図である。
【図２０】３人用コースにおける撮影画像の画角を示す図である。
【図２１】４人用コースにおける撮影画面の例を示す図である。
【図２２】４人用コースにおける撮影画像の画角を示す図である。
【図２３】編集処理について説明するフローチャートである。
【図２４】２人用コースにおける編集画面の例を示す図である。
【図２５】３人用コースにおける編集画面の例を示す図である。
【図２６】４人用コースにおける編集画面の例を示す図である。
【図２７】印刷処理について説明するフローチャートである。
【図２８】２人用コース選択時のシールレイアウトの例を示す図である。
【図２９】３人用コース選択時のシールレイアウトの例を示す図である。
【図３０】４人用コース選択時のシールレイアウトの例を示す図である。
【図３１】４人用コース選択時のシールレイアウトの他の例を示す図である。
【図３２】事後接客処理について説明するフローチャートである。
【図３３】撮影処理の他の例について説明するフローチャートである。
【図３４】撮影処理のさらに他の例について説明するフローチャートである。
【発明を実施するための形態】
【００３１】
以下、本発明を適用した具体的な実施の形態について、図面を参照しながら詳細に説明する。
【００３２】
［写真シール作成装置の外観構成］
図１は、写真シール作成装置１の外観の構成例を示す斜視図である。
【００３３】
写真シール作成装置１は、撮影や編集等の作業を利用者にゲームとして行わせ、撮影画像や編集済み画像を提供する代わりに利用者より代金を受け取るゲーム機である。写真シール作成装置１はゲームセンタなどの店舗に設置される。利用者は１人であることもあるが、主に２人または３人等の複数人である。
【００３４】
写真シール作成装置１が提供するゲームで遊ぶ利用者は、代金を投入し、自身が被写体となって撮影を行い、撮影によって得られた撮影画像の中から選択した編集対象の画像に対して、背景や前景の画像となる合成用画像や手書きの線画やスタンプ画像を合成する編集機能を用いて編集を行うことにより、撮影画像を彩り豊かな画像にする。利用者は、編集済みの画像が印刷されたシール紙を受け取って一連のゲームを終了させることになる。
【００３５】
図１に示すように、写真シール作成装置１は、主に、撮影ユニット１１、編集部１２、および事後接客部１３から構成される。撮影ユニット１１と編集部１２が接した状態で設置され、編集部１２と事後接客部１３が接した状態で設置される。
【００３６】
撮影ユニット１１は、撮影部２１と背景部２２から構成される。撮影部２１と背景部２２は所定の距離だけ離れて設置され、撮影部２１と背景部２２の間に形成される空間である撮影空間において撮影処理が行われる。
【００３７】
撮影部２１は撮影処理を利用者に行わせる装置である。撮影部２１は、撮影空間に入り、撮影処理を行っている利用者の正面に位置する。撮影空間を正面に臨む面を構成する撮影部２１の正面パネル４１には、撮影処理時に利用者により用いられるタッチパネルモニタなどが設けられる。撮影空間にいる利用者から見て右側の面を右側面、左側の面を左側面とすると、撮影部２１の右側面が側面パネル４２Ａにより構成され、左側面が側面パネル４２Ｂ（図示せず）により構成される。
【００３８】
背景部２２は、正面を向いて撮影処理を行っている利用者の背面側に位置する板状の部材である背面パネル５１、背面パネル５１の右端に取り付けられ、側面パネル４２Ａより横幅の狭い板状の部材である側面パネル５２Ａ、および、背面パネル５１の左端に取り付けられ、側面パネル４２Ｂより横幅の狭い板状の部材である側面パネル５２Ｂ（図示せず）から構成される。
【００３９】
撮影部２１の右側面を構成する側面パネル４２Ａと背景部２２の側面パネル５２Ａは、ほぼ同一平面に設けられ、それぞれの上部が板状の部材である連結部２３Ａによって、それぞれの下部が、例えば金属製の略コの字型の部材である連結部２３Ａ’によって連結される。また、撮影部２１の左側面を構成する側面パネル４２Ｂと背景部２２の側面パネル５２Ｂは、ほぼ同一平面に設けられ、それぞれの上部が板状の部材である連結部２３Ｂによって、それぞれの下部が、例えば金属製の略コの字型の部材である連結部２３Ｂ’（図示せず）によって連結される。
【００４０】
撮影部２１の側面パネル４２Ａ、連結部２３Ａ、および背景部２２の側面パネル５２Ａに囲まれることによって形成される開口が撮影空間の出入り口Ｇ１となる。図示されないが、撮影部２１の側面パネル４２Ｂ、連結部２３Ｂ、および背景部２２の側面パネル５２Ｂに囲まれることによって形成される開口も撮影空間の出入り口Ｇ２となる。撮影空間の内部には床材２７が設置される。利用者は、撮影空間に入り、床材２７の上に立って撮影を行うことになる。
【００４１】
背景部２２の上部には、背面パネル５１、側面パネル５２Ａ、および側面パネル５２Ｂに支持される形で背景カーテンユニット２５が設けられる。背景カーテンユニット２５には、色または柄の異なる、背景に利用される巻き取り式の背景カーテンが複数収納される。背景カーテンユニット２５は、撮影部２１に設けられたカメラ等による撮影と連動して動作し、撮影の際に、例えば利用者により選択された色のカーテンを下ろし、その他のカーテンを巻き取る。
【００４２】
なお、背景カーテンユニット２５に収納される背景カーテンとしては、複数枚のカーテンを１枚のクロマキ用のカーテンとして使用する昇降式カーテンを用意してもよい。また、クロマキ用のカーテンを予め撮影空間の背面となる背面パネル５１に張り付けるとともに、合成用の背景画像を複数種類用意し、撮影処理や編集処理において、利用者が所望する背景画像をカーテンの部分に合成することができるようにしてもよい。
【００４３】
撮影空間の上方には、撮影部２１の正面パネル４１、連結部２３Ａ、連結部２３Ｂ、および背景カーテンユニット２５に囲まれる開口が形成され、その開口の一部を覆うように天井ストロボユニット２４が設けられる。天井ストロボユニット２４の一端が連結部２３Ａに固定され、他端が連結部２３Ｂに固定される。天井ストロボユニット２４は、フラッシュとして撮影に合わせて撮影空間内に向けて発光するストロボを内蔵する。天井ストロボユニット２４の内部には、ストロボの他に、蛍光灯が設けられており、撮影空間の照明としても機能する。
【００４４】
編集部１２は、撮影処理によって得られた画像を編集する処理である編集処理を利用者に行わせる装置である。編集部１２は、一方の側面が撮影部２１の正面パネル４１の背面に接するように撮影ユニット１１に連結して設けられる。編集部１２には、編集処理時に利用者により用いられるタブレット内蔵モニタなどの構成が設けられる。
【００４５】
図１に示す編集部１２の構成を正面側の構成とすると、２組の利用者が同時に編集処理を行うことができるように、編集部１２の正面側と背面側には編集処理に用いられる構成がそれぞれ設けられる。
【００４６】
編集部１２の正面側は、床面に対して垂直な面であり、側面パネル４２Ａとほぼ平行な面である面７１と、面７１の上方に形成された斜面７２から構成され、編集作業に用いられる構成が斜面７２に設けられる。斜面７２の右側には、柱状の形状を有し、照明装置７４の一端を支持する支持部７３Ａが設けられる。斜面７２の左側にも、照明装置７４の他端を支持する支持部７３Ｂ（図２）が設けられる。さらに、支持部７３Ａの右側には、板状の形状を有し、事後接客部１３が連結して設けられる支持部７３Ｃが設けられる。また、支持部７３Ｃの上面にはカーテンレール２６を支持する支持部７５が設けられる。
【００４７】
編集部１２の上方にはカーテンレール２６が取り付けられる。カーテンレール２６は、上から見たときの形状がコの字状となるように３本のレール２６Ａ乃至２６Ｃを組み合わせて構成される。平行に設けられるレール２６Ａと２６Ｂの一端は、連結部２３Ａと連結部２３Ｂにそれぞれ固定され、他端に残りの一本のレール２６Ｃの両端が接合される。
【００４８】
カーテンレール２６には、編集部１２の正面前方の空間と背面前方の空間の内部が外から見えないようにカーテンが取り付けられる。カーテンレール２６に取り付けられたカーテンにより囲まれる編集部１２の正面前方の空間と背面前方の空間が、利用者が編集処理を行う編集空間となる。
【００４９】
図２は、写真シール作成装置１を別の角度から見た斜視図である。
【００５０】
事後接客部１３は事後接客処理を利用者に行わせる装置である。事後接客処理には、撮影画像や編集済みの画像を携帯電話機などの携帯端末に送信する処理、ミニゲームを利用者に行わせる処理、アンケートに答えさせる処理などが含まれる。
【００５１】
図２に示すように、事後接客部１３は、所定の厚さを有する板状の筐体を有しており、編集部１２の右側面に接合されて設けられる。事後接客部１３の正面には、事後接客処理時に利用者により用いられるタブレット内蔵モニタや、撮影画像や編集済みの画像が印刷されたシール紙が排出される排出口などが設けられる。事後接客部１３の正面前方の空間が、シール紙への印刷が終わるのを待っている利用者が事後接客処理を行う事後接客空間となる。
【００５２】
ここで、写真シール作成ゲームの流れと、それに伴う利用者の移動について図３を参照して説明する。図３は、写真シール作成装置１を上から見た平面図である。
【００５３】
写真シール作成装置１の利用者は、白抜き矢印＃１で示すように出入り口Ｇ１から、または白抜き矢印＃２で示すように出入り口Ｇ２から、撮影部２１と背景部２２の間に形成された撮影空間Ａ１に入り、撮影部２１に設けられたカメラやタッチパネルモニタなど利用して撮影処理を行う。
【００５４】
撮影処理を終えた利用者は、白抜き矢印＃３で示すように出入り口Ｇ１を使って撮影空間Ａ１から出て編集空間Ａ２−１に移動するか、白抜き矢印＃４で示すように出入り口Ｇ２を使って撮影空間Ａ１から出て編集空間Ａ２−２に移動する。
【００５５】
編集空間Ａ２−１は、編集部１２の正面側の編集空間であり、編集空間Ａ２−２は、編集部１２の背面側の編集空間である。編集空間Ａ２−１と編集空間Ａ２−２のいずれの空間に移動するのかが、撮影部２１のタッチパネルモニタの画面表示などによって案内される。例えば２つの編集空間のうちの空いている方の空間が移動先として案内される。編集空間Ａ２−１または編集空間Ａ２−２に移動した利用者は編集処理を開始する。編集空間Ａ２−１の利用者と、編集空間Ａ２−２の利用者は同時に編集処理を行うことができる。
【００５６】
編集処理が終了した後、撮影画像や編集済みの画像の中から選択された画像の印刷が開始される。画像の印刷中、編集処理を終えた利用者は、編集空間Ａ２−１で編集処理を行っていた場合には白抜き矢印＃５で示すように編集空間Ａ２−１から事後接客空間Ａ３に移動して事後接客処理を行う。また、編集処理を終えた利用者は、編集空間Ａ２−２で編集処理を行っていた場合には白抜き矢印＃６で示すように編集空間Ａ２−２から事後接客空間Ａ３に移動し、事後接客空間Ａ３において事後接客処理を行う。
【００５７】
画像の印刷が終了したとき、利用者は、事後接客部１３に設けられた排出口からシール紙を受け取り、一連の写真シール作成ゲームを終えることになる。
【００５８】
次に、各装置の構成について説明する。
【００５９】
［撮影部の構成］
図４は、撮影部２１の正面の構成例を示す図である。撮影部２１は、正面パネル４１、側面パネル４２Ａ、および側面パネル４２Ｂが、箱状の形状を有するベース部４３に取り付けられることによって構成される。
【００６０】
正面パネル４１は撮影空間Ａ１で撮影処理を行う利用者の正面に位置し、側面パネル４２Ａと側面パネル４２Ｂは、それぞれ、撮影空間Ａ１で撮影処理を行う利用者の左側、右側に位置する。
【００６１】
正面パネル４１の中央からやや上側には撮影・表示ユニット８１が設けられる。撮影・表示ユニット８１は、カメラ９１、タッチパネルモニタ９２、および正面ストロボ９３から構成される。
【００６２】
カメラ９１は、レンズやCCD(Charge Coupled Device)などの撮像素子により構成され、撮影空間Ａ１にいる利用者を撮影する。カメラ９１により取り込まれた動画像は、タッチパネルモニタ９２にリアルタイムで表示される。利用者により撮影が指示されたときなどの所定のタイミングでカメラ９１により取り込まれた画像は撮影画像（静止画像）として保存される。
【００６３】
カメラ９１の下側に設けられたタッチパネルモニタ９２は、LCD(Liquid Crystal Display)などのモニタと、それに積層されたタッチパネルにより構成される。タッチパネルモニタ９２は、カメラ９１により取り込まれた動画像を表示するライブビューモニタとしての機能と、各種のGUI(Graphical User Interface)画像を表示し、利用者の選択操作をタッチパネルにより受け付ける機能とを備えている。タッチパネルモニタ９２には、適宜、撮影結果としての静止画像や、背景等の画像が合成された後の動画像が表示される。
【００６４】
カメラ９１の上側および左右を囲むように半円状の発光面（乳白アクリル板）が設けられた正面ストロボ９３は、内蔵されたストロボがカメラ９１による撮影に合わせて発光することで、被写体としての利用者の顔付近を正面から照射する。
【００６５】
正面パネル４１には、撮影・表示ユニット８１の上方に右上ストロボ８２および左上ストロボ８３が設置される。右上ストロボ８２は、内蔵されたストロボが発光することで、利用者を、利用者から見て右上前方から照射し、左上ストロボ８３は、内蔵されたストロボが発光することで、利用者を、利用者から見て左上前方から照射する。
【００６６】
ベース部４３には利用者の足元を照射する足元ストロボ８４も設けられる。右上ストロボ８２、左上ストロボ８３、足元ストロボ８４、および正面ストロボ９３の内部には、ストロボの他に、蛍光灯を設けるようにし、天井ストロボユニット２４の内部の蛍光灯と合わせて、撮影空間Ａ１内の照明として用いられるようにしてもよい。各ストロボの発光量が調整されることによって、または、発光させるストロボの数が調整されることによって、利用者に照射される光が調整される。
【００６７】
足元ストロボ８４の右側には、利用者がお金を投入する硬貨投入返却口８５が設けられる。
【００６８】
ベース部４３の上面の左右に形成されるスペース４３Ａおよび４３Ｂは、撮影処理を行う利用者が手荷物等を置くための荷物置き場として用いられる。正面パネル４１の例えば天井付近には、撮影処理の案内音声、BGM(Back Ground Music)、効果音等の音を出力するスピーカも設けられる。
【００６９】
［背景部の構成］
図５は、背景部２２の撮影空間Ａ１側の構成例を示す図である。
【００７０】
上述したように、背面パネル５１の上方には背景カーテンユニット２５が設けられる。背景カーテンユニット２５のほぼ中央には、撮影空間Ａ１内で撮影処理を行っている利用者を後方中央から照射する背面中央ストロボ１０１が取り付けられる。
【００７１】
背面パネル５１の、出入り口Ｇ１側の位置には、撮影空間Ａ１内で撮影処理を行っている利用者を右後方から照射する背面右ストロボ１０２が取り付けられる。また、背面パネル５１の、出入り口Ｇ２側の位置には、撮影空間Ａ１内で撮影処理を行っている利用者を左後方から照射する背面左ストロボ１０３が取り付けられる。
【００７２】
図６は、床材２７の平面図である。
【００７３】
板や樹脂よりなる床材２７には、角丸の長方形の区画である区画２７Ａと区画２７Ｂが並べて形成される。例えば区画２７Ａと区画２７Ｂは、床材２７にプリントされることによって、またはシートが貼り付けられることによって形成される。
【００７４】
図６においては、上方向が撮影部２１の設置方向であり、下方向が背景部２２の設置方向である。カメラ９１の位置を基準とした場合、区画２７Ａは、カメラ９１に近い位置に形成され、区画２７Ｂは、カメラ９１から遠い位置に形成される。区画２７Ａの短手方向の長さは、区画２７Ｂの短手方向の長さより若干長く、区画２７Ａの長手方向の長さは、区画２７Ｂの長手方向の長さより短い。区画２７Ａと区画２７Ｂの長手方向は、破線で示すカメラ９１の光軸Ｌと略垂直に交わる。
【００７５】
区画２７Ａの内側には「盛れるzone」の文字がプリントされ、区画２７Ｂの内側には「大人数zone」の文字がプリントされる。後述するように、２人または３人で撮影することを利用者が選択した場合、区画２７Ａの内側に入って撮影することが写真シール作成装置１により案内され、４人で撮影することを利用者が選択した場合、区画２７Ｂの内側に入って撮影することが写真シール作成装置１により案内される。撮影位置の案内は、タッチパネルモニタ９２の表示やスピーカからの音声によって行われる。
【００７６】
区画２７Ａからカメラ９１までの距離は、２人または３人の利用者が区画２７Ａ内に立って撮影したときに、利用者の顔付近が所定の大きさで写る距離とされる。同様に、区画２７Ｂからカメラ９１までの距離は、４人の利用者が区画２７Ｂ内に立って撮影したときに、その利用者の顔付近が所定の大きさで写る距離とされる。
【００７７】
図６の例においては利用者の人数に応じた立ち位置を示す区画として２つの区画が形成されるものとしたが、３つ以上の区画が形成されるようにしてもよい。この場合、より人数の少ない利用者の立ち位置として案内する区画の方が、大人数の利用者の立ち位置として案内する区画よりカメラ９１に近い位置に形成される。また、より人数の多い利用者の立ち位置として案内する区画の長手方向の長さが、小人数の利用者の立ち位置として案内する区画の長手方向の長さより長くなるように形成される。
【００７８】
また、大人数の場合には、利用者は、自然とカメラ９１から遠い位置を立ち位置とする可能性もあるので、利用者の人数に応じた立ち位置を示す区画として、区画２７Ａのみが形成されるようにしてもよい。
【００７９】
［編集部の構成］
図７は、編集部１２の背面側（編集空間Ａ２−２側）の構成例を示す図である。
【００８０】
斜面７２のほぼ中央には、タブレット内蔵モニタ１３１が設けられる。タブレット内蔵モニタ１３１を挟んで左側にタッチペン１３２Ａが設けられ、右側にタッチペン１３２Ｂが設けられる。
【００８１】
タブレット内蔵モニタ１３１は、タッチペン１３２Ａまたは１３２Ｂを用いて操作入力が可能なタブレットがLCDなどのモニタに重畳して設けられることによって構成される。タブレット内蔵モニタ１３１には、例えば、編集対象画像として選択された撮影画像の編集に用いられる画面である編集画面が表示される。２人で同時に編集作業を行う場合、タッチペン１３２Ａは一方の利用者により用いられ、タッチペン１３２Ｂは他方の利用者により用いられる。
【００８２】
編集部１２の左側には事後接客部１３が設けられる。
【００８３】
［事後接客部の構成］
図８は、事後接客部１３の正面側の構成例を示す図である。
【００８４】
事後接客部１３の上方中央にはタブレット内蔵モニタ１６１が設けられる。タブレット内蔵モニタ１６１は、利用者の指等を用いて操作入力が可能なタブレットがLCDなどのモニタに重畳して設けられることによって構成される。タブレット内蔵モニタ１６１には、事後接客処理に用いられる画面が表示される。
【００８５】
タブレット内蔵モニタ１６１の下にはスピーカ１６２が設けられ、スピーカ１６２の下にはシール紙排出口１６３が設けられる。
【００８６】
スピーカ１６２は、事後接客処理の案内音声、BGM、効果音等の音を出力する。
【００８７】
シール紙排出口１６３には、編集空間Ａ２−１の利用者が編集処理を行うことによって作成した画像が印刷されたシール紙、または、編集空間Ａ２−２の利用者が編集処理を行うことによって作成した画像が印刷されたシール紙が排出される。編集部１２の内部にはプリンタが設けられており、画像の印刷がそのプリンタにより行われる。
【００８８】
［写真シール作成装置の内部構成］
次に、写真シール作成装置１の内部構成について説明する。図９は、写真シール作成装置１の内部の構成例を示すブロック図である。上述した構成と同じ構成には同じ符号を付してある。重複する説明については適宜省略する。
【００８９】
制御部２０１はCPU(Central Processing Unit)などよりなり、ROM(Read Only Memory)２０６や記憶部２０２に記憶されているプログラムを実行し、写真シール作成装置１の全体の動作を制御する。制御部２０１には、記憶部２０２、通信部２０３、ドライブ２０４、ROM２０６、RAM(Random Access Memory)２０７が接続される。制御部２０１には、撮影部２０８、編集部２０９、および事後接客部２１０の各構成も接続される。
【００９０】
記憶部２０２は、ハードディスクやフラッシュメモリなどの不揮発性の記憶媒体からなり、制御部２０１から供給された各種の設定情報等を記憶する。記憶部２０２に記憶されている情報は制御部２０１により適宜読み出される。
【００９１】
通信部２０３は、インターネットなどのネットワークのインタフェースであり、制御部２０１による制御に従って外部の装置と通信を行う。
【００９２】
ドライブ２０４には、光ディスクや半導体メモリなどよりなるリムーバブルメディア２０５が適宜装着される。ドライブ２０４によりリムーバブルメディア２０５から読み出されたコンピュータプログラムやデータは、制御部２０１に供給され、記憶部２０２に記憶されたり、インストールされたりする。
【００９３】
ROM２０６には、制御部２０１において実行されるプログラムやデータが記憶されている。RAM２０７は、制御部２０１が処理するデータやプログラムを一時的に記憶する。
【００９４】
撮影部２０８は、撮影空間Ａ１における撮影処理を行う構成である硬貨処理部２２１、背景制御部２２２、照明装置２２３、カメラ９１、タッチパネルモニタ９２、およびスピーカ２２４から構成される。
【００９５】
硬貨処理部２２１は、硬貨投入返却口８５に対する硬貨の投入を検出する。硬貨処理部２２１は、例えば４００円などの所定の金額分の硬貨が投入されたことを検出した場合、そのことを表す起動信号を制御部２０１に出力する。
【００９６】
背景制御部２２２は、制御部２０１より供給される背景制御信号に従って背景カーテンユニット２５に収納されている背景カーテンの上げ下ろしを行う。背景カーテンの選択が利用者により手動で行われるようにしてもよい。
【００９７】
照明装置２２３は、撮影空間Ａ１内の各ストロボの内部に設けられる蛍光灯であり、制御部２０１より供給される照明制御信号に従って発光する。上述したように、撮影空間Ａ１には、天井ストロボユニット２４のストロボの他に、撮影部２１に設けられる右上ストロボ８２、左上ストロボ８３、足元ストロボ８４、正面ストロボ９３、背景部２２に設けられる背面中央ストロボ１０１、背面右ストロボ１０２、背面左ストロボ１０３が設けられている。
【００９８】
また、照明装置２２３は、制御部２０１による制御に従って発光量を調整することによって、利用者が行っている撮影作業の段階に応じて撮影空間Ａ１内の明るさを調整する。
【００９９】
カメラ９１は、制御部２０１による制御に従って撮影を行い、撮影によって得られた画像を制御部２０１に出力する。
【０１００】
編集部２０９Ａは、編集空間Ａ２−１における編集処理を行う構成として編集部１２の正面側に設けられるタブレット内蔵モニタ１３１、タッチペン１３２Ａ，１３２Ｂ、およびスピーカ２３１から構成される。編集部２０９Ｂも編集部２０９Ａと同一の構成を有しており、編集空間Ａ２−２における編集処理を行う。
【０１０１】
タブレット内蔵モニタ１３１は、制御部２０１による制御に従って編集画面を表示し、編集画面に対する利用者の操作を検出する。利用者の操作の内容を表す信号は制御部２０１に供給され、編集対象の撮影画像の編集が行われる。
【０１０２】
事後接客部２１０は、事後接客空間Ａ３における事後接客処理を行う構成であるタブレット内蔵モニタ１６１、スピーカ１６２、印刷処理を行う構成であるプリンタ２４１、およびシール紙ユニット２４２から構成される。
【０１０３】
プリンタ２４１は、撮影画像、または編集処理によって得られた編集済みの画像を、プリンタ２４１に装着されたシール紙ユニット２４２に収納されているシール紙に印刷し、シール紙排出口１６３に排出する。
【０１０４】
［制御部の構成］
次に、制御部２０１について説明する。図１０は、制御部２０１がROM２０６などに格納されているプログラムを実行することにより実現される機能ブロックの構成例を示している。
【０１０５】
制御部２０１は、写真シール作成ゲームを開始する際に投入される代金に関する処理や利用者グループを撮影する等の写真シール作成ゲームの撮影作業の工程に関する処理を行う撮影処理部３０１、撮影画像に対する落書き編集等の写真シール作成ゲームの編集作業の工程に関する処理を行う編集処理部３０２、シール紙の印刷等の写真シール作成ゲームの印刷の工程に関する処理を行う印刷処理部３０３、および、編集作業を終了した利用者グループを接客する写真シール作成ゲームの事後接客の工程に関する処理を行う事後接客処理部３０４を有する。
【０１０６】
このように、制御部２０１は、写真シール作成ゲームの各工程に関する処理の制御を行う。
【０１０７】
なお、印刷処理部３０３および事後接客処理部３０４は、最終的に利用者に提供される画像を出力する出力処理部として機能する。
【０１０８】
［写真シール作成装置の動作］
次に、図１１のフローチャートを参照して、写真シール作成ゲームを提供する写真シール作成装置１の処理について説明する。
【０１０９】
ステップＳ１において、写真シール作成装置１の撮影処理部３０１は、所定の金額分の硬貨が投入されたか否かを硬貨処理部２２１から供給される信号に基づいて判定し、投入されたと判定するまで待機する。
【０１１０】
ステップＳ１において、硬貨が投入されたと判定された場合、ステップＳ２において、撮影処理部３０１は、撮影部２０８を制御し、カメラ９１に取り込まれた被写体の動画像をタッチパネルモニタ９２にライブビュー表示させ、撮影空間Ａ１にいる利用者を被写体として撮影し、撮影画像を出力する撮影処理を行う。
【０１１１】
ステップＳ３において、撮影処理部３０１は、撮影空間Ａ１にいる利用者に対して、編集空間Ａ２−１または編集空間Ａ２−２への移動を案内する。編集空間Ａ２−１または編集空間Ａ２−２への移動の案内は、撮影部２０８のタッチパネルモニタ９２に画面を表示させることによって、または音声をスピーカ２２４から出力させることによって行われる。
【０１１２】
ステップＳ４において、編集処理部３０２は、編集空間Ａ２−１と編集空間Ａ２−２のうち、撮影処理を終えた利用者の移動先とした方の編集空間に対応する編集部２０９を制御し、撮影画像に対して利用者に落書き編集入力を行わせ、落書き編集が施された編集済み画像を出力する編集処理を行う。
【０１１３】
ステップＳ５において、編集処理部３０２は、編集空間Ａ２−１または編集空間Ａ２−２で編集処理を終えた利用者に対して事後接客空間Ａ３への移動を案内する。事後接客空間Ａ３への移動の案内は、タブレット内蔵モニタ１３１に画面を表示させることによって、または音声をスピーカ２３１から出力させることによって行われる。
【０１１４】
ステップＳ６において、印刷処理部３０３は、利用者により選択された撮影画像または編集済み画像を、印刷画像としてプリンタ２４１に出力してシール紙に印刷する印刷処理を行う（開始する）。
【０１１５】
また、タブレット内蔵モニタ１６１に表示される、事後接客処理の開始ボタンが選択されると、ステップＳ７において、事後接客処理部３０４は、印刷終了待機中の利用者に対する事後接客処理を行う。具体的には、事後接客処理部３０４は、送信処理手段として、撮影画像や編集済みの画像を、携帯送信用画像として携帯端末に送信する携帯送信ゲーム処理を事後接客処理として行う。
【０１１６】
印刷が終了すると、ステップＳ８において、事後接客処理部３０４は、印刷が終了した旨をタブレット内蔵モニタ１６１に表示させ、プリンタ２４１は、画像が印刷されたシール紙をシール紙排出口１６３に排出し、処理を終了させる。
【０１１７】
なお、上述した各処理において出力される撮影画像、編集済み画像、印刷画像、および携帯送信用画像の全て、または少なくともいずれか１つは、撮影画像における被写体の状態に応じて変更されて出力される。この各処理において出力される画像には、その処理の過程で、利用者に提示、確認させるために表示される表示画像（例えば、後述するライブビュー画像等）も含まれるものとする。
【０１１８】
また、上述した、撮影画像における被写体の状態とは、撮影画像における被写体の写り（撮影画像に対して設定される、彩度、明度、シャープネス、コントラスト等）や、被写体として撮影される利用者の人数を指す。なお、撮影画像における被写体の状態には、利用者の身長や、利用者が着用している衣服の色、利用者の肌や髪の色等が含まれてもよい。
【０１１９】
［撮影処理の例］
次に、図１２のフローチャートを参照して、上述した写真シール作成ゲームの一連の処理におけるステップＳ２の撮影処理の流れを説明する。
【０１２０】
まず、ステップＳ１１において、撮影処理部３０１は、写り選択画面をタッチパネルモニタ９２に表示させる。写り選択画面は、撮影画像における被写体の写りに応じた撮影コースの選択に用いられる画面である。
【０１２１】
ステップＳ１２において、撮影処理部３０１は、人数選択画面をタッチパネルモニタ９２に表示させる。人数選択画面は、利用者の人数に応じた撮影コースの選択に用いられる画面である。
【０１２２】
図１３は、人数選択画面の例を示す図である。
【０１２３】
人数選択画面の中央上方には「撮りたいコースを選んでね」のメッセージが表示され、メッセージの下方左側には、２人用コースを選択するときに操作（選択）されるサンプル画像４０１が表示される。サンプル画像４０１は、２人用コースで撮影を行ったときに得られる画像のサンプルである。
【０１２４】
サンプル画像４０１の右側には、３人用コースを選択するときに操作されるサンプル画像４０２と、４人用コースを選択するときに操作されるサンプル画像４０３が、縦に並べて表示される。サンプル画像４０２は３人用コースで撮影を行ったときに得られる画像のサンプルであり、サンプル画像４０３は４人用コースで撮影を行ったときに得られる画像のサンプルである。
【０１２５】
サンプル画像４０１乃至４０３が表示されることにより、利用者はそれぞれの撮影コースによって得られる画像の画角を確認することができる。図１３に示されるように、少人数の撮影コースを選択したときに得られる画像より、大人数の撮影コースを選択したときに得られる画像の方が、垂直方向の長さに対する水平方向の長さが長い。
【０１２６】
なお、利用者の人数が５人以上である場合には、利用者は、４人用コースを選択して撮影を行うことが行うことが好ましい。もちろん、３人用コースを選択して撮影を行うことも可能である。
【０１２７】
以下においては、主に、２人用コースが選択された場合の処理について説明する。
【０１２８】
ステップＳ１３において、撮影処理部３０１は、図１４に示されるように、立ち位置の案内画面をタッチパネルモニタ９２に表示させる。
【０１２９】
具体的には、撮影処理部３０１は、２人用コースまたは３人用コースが選択された場合、図１４Ａに示される、区画２７Ａの内側に立つことを案内する画面を表示させる。また、撮影処理部３０１は、４人用コースで撮影することが選択された場合、図１４Ｂに示される、区画２７Ｂの内側に立つことを案内する画面を表示させる。
【０１３０】
なお、画面表示によって案内するだけに限らず、撮影部２０８内のスピーカ（図示せず）から出力する音声によって案内したり、区画２７Ａ、区画２７Ｂに発光体としてLEDを埋め込み、画面表示に対応する区画を光らせて案内したりするようにしてもよい。
【０１３１】
特に、区画２７Ａのみが形成され、区画２７Ｂが形成されていない場合には、図１４に示される立ち位置の案内画面にも区画２７Ｂは表示させずに、スピーカからの音声によって、利用者に対して、カメラ９１から遠い位置に立つことを案内するようにする。
【０１３２】
このように、誘導する前後方向の立ち位置を利用者の人数に応じて切り替えることにより、最適な大きさで利用者の顔が写る画像を撮影することが可能になる。
【０１３３】
ステップＳ１４において、撮影処理部３０１は、人数に応じて照明装置２２３を制御する。具体的には、撮影処理部３０１は、２人用コースまたは３人用コースが選択された場合より、４人用コースが選択された場合に、撮影空間内の各ストロボの発光量が若干大きくなるように、照明装置２２３の発光を制御する。
【０１３４】
これにより、２人用コースまたは３人用コースと比較してカメラ９１より遠い立ち位置で撮影が行われる４人用コースにおいても、利用者の顔が暗く写ってしまうことを避けることが可能となる。
【０１３５】
そして、ステップＳ１５において、撮影処理部３０１は、カメラ９１を制御し、画像の取り込みを開始させ、カメラ９１により取り込まれた動画像（ライブビュー画像）をタッチパネルモニタ９２に表示させる（ライブビュー表示を行う）。このとき、撮影処理部３０１は、ステップＳ１２において選択された利用者の人数に応じた画角、具体的には、縦横比が約１：1.2となる画角で、ライブビュー画像を取り込み、表示させる。
【０１３６】
図１５は、ライブビュー画像を含む撮影画面の例を示す図である。
【０１３７】
撮影画面の中央上方には「撮影するよ！」のメッセージが表示され、その下に、矩形の領域で、ライブビュー画像が表示されるライブビュー表示部４２１が形成される。
【０１３８】
ライブビュー表示部４２１の下には、ライブビュー表示部４２１より小さい矩形の領域である撮影結果表示部４２２−１乃至４２２−６が上下２段で、横に３つずつ並んで形成される。１回目の撮影によって得られた撮影画像の縮小画像が撮影結果表示部４２２−１に表示され、２回目の撮影によって得られた撮影画像の縮小画像が撮影結果表示部４２２−２に表示されるといったように、撮影結果表示部４２２−１乃至４２２−６の各領域には、それぞれの撮影によって得られた撮影画像の縮小画像が順に表示される。ここでは、２人用コースを選択した場合、６回の撮影が行われるものとされている。つまり、撮影結果表示部４２２−１乃至４２２−６は、撮影が行われる回数と同じ数だけ表示されるものであり、例えば、５回の撮影が行われる場合には、５つの撮影結果表示部が表示され、４回の撮影が行われる場合には、４つの撮影結果表示部が表示される。図１５の例においてはまだ撮影が行われていないので、撮影結果表示部４２２−１乃至４２２−６には画像が表示されていない。
【０１３９】
なお、図１５に示される撮影画面においては、ライブビュー表示部４２１および撮影結果表示部４２２−１乃至４２２−６の縦横比も、約１：1.2とされる。
【０１４０】
利用者は、このような撮影画面に表示されるライブビュー画像を見て、自分の頭や顔の位置を微調整することができる。図１５に示されるような撮影画面は、例えば立ち位置の案内画面の表示後、静止画像の撮影が終了するまでタッチパネルモニタ９２に表示される。
【０１４１】
ステップＳ１６において、撮影処理部３０１は、タッチパネルモニタ９２にカウントダウンインジケータを表示し、撮影タイミングを利用者に通知する。
【０１４２】
撮影タイミングになったとき、ステップＳ１７において、撮影処理部３０１は、カメラ９１を制御して撮影を行い、静止画像である撮影画像を取得する。この撮影画像もまた、ステップＳ１２において選択された利用者の人数に応じた画角で撮影されたものとなる。すなわち、撮影処理部３０１は、利用者の人数に応じた画角で撮影を行う。
【０１４３】
具体的には、２人用コースにおいては、図１６に示されるように、縦横比が約１：1.2となる画角で撮影された撮影画像が取得される。このように、２人で撮影を行った場合には、２人の顔が適切に収まる画角で撮影が行われるので、人物（被写体）の配置のバランスのよい撮影画像を得ることができ、結果として、利用者の満足度を向上させることができる。
【０１４４】
図１２のフローチャートに戻り、撮影処理部３０１は、ステップＳ１８において、図１６に示されるような撮影画像を、撮影結果として撮影画面に表示した後、ステップＳ１９において、撮影を所定回数繰り返し行ったか否かを判定する。ステップＳ１９において撮影を所定回数行っていないと判定された場合、処理はステップＳ１５に戻り、上述の処理を繰り返し行う。具体的には、２人用コースの場合、６回の撮影が行われるまで、上述の処理が繰り返される。
【０１４５】
ステップＳ２０において、撮影処理部３０１は、得られた６枚の撮影画像を撮影結果として記憶部２０２に保存（記憶）させる。その後、図１１のステップＳ２に戻り、それ以降の処理が行われる。
【０１４６】
上述したように、２人用コースが選択された場合、６回の撮影が行われるが、そのうちの１回として、複数の利用者、この場合、２人の利用者それぞれを識別し、編集処理において、それぞれの利用者に好みの画像処理を選択させ、それぞれの利用者の画像に画像処理を施すために、利用者それぞれの撮影画像を取得する撮影が行われるようにしてもよい。この撮影を識別撮影という。具体的には、識別撮影において、利用者それぞれの撮影画像は、１回の撮影で得られた撮影画像から、利用者の顔の部分の画像を抽出することで取得される。
【０１４７】
識別撮影が行われる場合、図１７に示されるような撮影画面がタッチパネルモニタ９２に表示される。
【０１４８】
画面の上部には、その時点で撮影されている利用者それぞれの顔の部分のライブビュー画像が表示されるライブビュー表示部４４１，４４２が設けられている。
【０１４９】
利用者は、このような撮影画面に表示されるライブビュー画像を見て、ライブビュー表示部４４１，４４２のそれぞれの枠内に自身の顔が収まるように、自分の頭や顔の位置を微調整することができる。
【０１５０】
そして、撮影が行われると、撮影結果（図示せず）が表示される。この場合、２人の利用者の画像がそれぞれ表示される。この撮影結果の表示は省略することも可能であり、撮影結果を利用者に提供せずに、次の処理が行われるようにしてもよい。
【０１５１】
なお、識別撮影が行われる場合、図１８に示されるように、撮影画面のライブビュー表示部４２１に、利用者それぞれの顔を収めるための枠４５１，４５２を表示させることで、それぞれの枠４５１，４５２に、利用者それぞれの顔が収まるようにして撮影が行われるようにしてもよい。
【０１５２】
［３人用コースが選択された場合の処理］
ここで、人数選択画面においてサンプル画像４０２が選択され、３人用コースが選択された場合の処理について説明する。
【０１５３】
３人用コースが選択された場合の処理は、基本的に２人用コースが選択された場合の処理と同様である。３人用コースが選択された場合も、立ち位置の案内画面によって、区画２７Ａの内側を立ち位置とすることが案内される（ステップＳ１３）。
【０１５４】
また、カメラ９１により、利用者の人数に応じた画角、具体的には、縦横比が約３：４となる画角でライブビュー画像が取り込まれ、表示される（ステップＳ１５）。
【０１５５】
図１９は、３人用コースが選択された場合の撮影画面の例を示す図である。
【０１５６】
図１９に示す撮影画面の構成は、図１５を参照して説明した２人用コースの場合の撮影画面の構成と同じである。撮影画面の中央上方のメッセージの下に形成されるライブビュー表示部４２１には、ライブビュー画像が表示されている。
【０１５７】
３人用コースを選択した利用者は、このような撮影画面に表示されるライブビュー画像を見て、自分の頭や顔の位置を微調整することができる。そして、所定のタイミングで、利用者の人数に応じた画角で静止画像の撮影が行われた後（ステップＳ１７）、撮影画面に撮影結果が表示される（ステップＳ１８）。撮影が所定回数（６回）繰り返し行われると（ステップＳ１９）、得られた６枚の撮影画像が保存され、処理は終了する（ステップＳ２０）。
【０１５８】
３人用コースにおいては、図２０に示されるように、縦横比が約３：４となる画角で撮影された撮影画像が取得される。このように、３人で撮影を行った場合には、３人の顔が適切に収まる画角で撮影が行われるので、人物（被写体）の配置のバランスのよい撮影画像を得ることができ、結果として、利用者の満足度を向上させることができる。
【０１５９】
［４人用コースが選択された場合の処理］
次に、人数選択画面においてサンプル画像４０３が選択され、４人用コースが選択された場合の処理について説明する。
【０１６０】
４人用コースが選択された場合の処理も、基本的には２人用コースが選択された場合の処理と同様である。ただし、４人用コースが選択された場合、立ち位置の案内画面によって、区画２７Ｂの内側を立ち位置とすることが案内される（ステップＳ１３）。なお、区画２７Ｂが形成されていない場合には、スピーカからの音声によって、利用者に対して、カメラ９１から遠い位置に立つことが案内される。
【０１６１】
そして、カメラ９１により、利用者の人数に応じた画角、具体的には、縦横比が約９：１６となる画角で、ライブビュー画像が取り込まれ、表示される（ステップＳ１５）。
【０１６２】
図２１は、４人用コースが選択された場合の撮影画面の例を示す図である。
【０１６３】
図２１に示す撮影画面の構成は、図１５を参照して説明した２人用コースの場合の撮影画面の構成と基本的に同じである。撮影画面の中央上方のメッセージの下に形成されるライブビュー表示部４２１には、ライブビューが表示されている。なお、図２１の撮影画面においては、撮影結果表示部は、撮影結果表示部４２２−１乃至４２２−４の４つとされる。すなわち、４人用コースを選択した場合には、４回の撮影が行われるものとされている。
【０１６４】
４人用コースを選択した利用者は、このような撮影画面に表示されるライブビュー画像を見て、自分の頭や顔の位置を微調整することができる。そして、所定のタイミングで、利用者の人数に応じた画角で静止画像の撮影が行われた後（ステップＳ１７）、撮影画面に撮影結果が表示される（ステップＳ１８）。撮影が所定回数（４回）繰り返し行われると（ステップＳ１９）、得られた４枚の撮影画像が保存され、処理は終了する（ステップＳ２０）。
【０１６５】
４人用コースにおいては、図２２に示されるように、縦横比が約９：１６となる画角で撮影された撮影画像が取得される。このように、４人で撮影を行った場合には、４人の顔が適切に収まる画角で撮影が行われるので、人物（被写体）の配置のバランスのよい撮影画像を得ることができ、結果として、利用者の満足度を向上させることができる。
【０１６６】
また、撮影対象となる利用者の人数が増えるほど、利用者それぞれの立ち位置の決定やポージングに時間がかかり、撮影準備が整っていない状態で撮影が行われてしまう恐れがある。そこで、４人用コースにおいては、撮影回数を、２人用コースまたは３人用コースにおける撮影回数より少ない４回とすることで、撮影作業にかかる時間を延ばすことなく、利用者が余裕をもって撮影準備を済ませた状態で撮影を行うことができるようになる。
【０１６７】
［編集処理の例］
次に、図２３のフローチャートを参照して、上述した写真シール作成ゲームの一連の処理におけるステップＳ４の編集処理の流れを説明する。
【０１６８】
編集処理が開始されると、ステップＳ３１において、編集処理部３０２は、撮影処理部３０１により得られた撮影画像を取得する。
【０１６９】
ステップＳ３２において、編集処理部３０２は、タブレット内蔵モニタ１３１にGUIを表示して、利用者からの指示を受け付け、利用者それぞれの名前（おなまえ）を入力させる。
【０１７０】
ステップＳ３３において、編集処理部３０２は、タブレット内蔵モニタ１３１にGUIを表示して、利用者からの指示を受け付け、撮影画像の背景（背景画像）を選択させる。背景画像は、所定のテーマ毎に分類されて利用者に提供される。ここでは、例えば「パステル」や「モノクロ」等、色の種類をテーマとした背景画像が利用者に提供される。
【０１７１】
ステップＳ３４において、編集処理部３０２は、タブレット内蔵モニタ１３１やスピーカ２３１等を制御して、落書き作業の流れを案内する画像や音声を出力することにより、利用者に対して落書き作業のガイダンスを行う。
【０１７２】
ステップＳ３５において、編集処理部３０２は、タブレット内蔵モニタ１３１に、利用者の人数に応じたレイアウトの編集画面を表示する。利用者の人数に応じたレイアウトの編集画面については、後述する。
【０１７３】
ステップＳ３６において、編集処理部３０２は、編集部２０９Ａ若しくは編集部２０９Ｂ（利用者が編集作業を行う方）の各部を制御して、利用者による撮影画像に対する落書き作業を受け付ける落書き編集処理を行う。なお、編集部２０９Ａ，２０９Ｂの両方で編集作業が行われる場合には、編集処理部３０２は、編集部２０９Ａ，２０９Ｂの両方の各部を制御する。
【０１７４】
落書き作業が終了すると、ステップＳ３７において、編集処理部３０２は、シール紙における印刷画像（編集済み画像）の配置を表すシールレイアウトであって、利用者に人数に応じたシールレイアウトについての情報であるシールレイアウト情報を生成し、落書き編集処理の結果得られた編集済み画像とともに、記憶部２０２に保存（記憶）させる。その後、図１１のステップＳ４に戻り、それ以降の処理が行われる。
【０１７５】
上述したように、タブレット内蔵モニタ１３１には、利用者の人数に応じたレイアウトの編集画面が表示される。以下においては、２人用コース、３人用コース、および４人用コースが選択された場合の編集画面について説明する。
【０１７６】
［２人用コースが選択された場合の編集画面］
まず、図２４を参照して、２人用コースが選択された場合の編集画面について説明する。
【０１７７】
図２４に示されるように、編集画面５０１には、主な構成が、左右に２つずつ設けられている。これにより、基本的に同じ組の２人の利用者が同時に落書き編集入力を行うことができる。
【０１７８】
編集画像表示部５１１−１には、タブレット内蔵モニタ１３１に対して左側の利用者が編集対象画像（以下、編集画像ともいう）として選択した撮影画像が表示され、編集画像表示部５１１−２には、タブレット内蔵モニタ１３１に対して右側の利用者が編集対象画像として選択した撮影画像が表示されている。
【０１７９】
編集画像表示部５１１−１，５１１−２には、利用者の人数に応じた画角の編集対象画像、すなわちこの場合、縦横比が約１：1.2の画角の編集対象画像が表示される。
【０１８０】
編集画像表示部５１１−１，５１１−２それぞれの下側には、落書き作業に用いられる各種ボタンを挟んで、編集画像表示部５１１−１，５１１−２に表示されている編集画像に対して落書き編集入力を行うための編集機能を提供する編集ツールを、利用者に選択させるための編集用パレット５１２−１，５１２−２が表示されている。
【０１８１】
編集用パレット５１２−１，５１２−２には、編集ツールが、「Set Special」、「Make Up」、「Stamp」、「Pen」といったカテゴリ毎のタブに表示されるようになされており、図２４の例では、いずれにおいても「Set Special」タブが選択されている。
【０１８２】
さらに、図２４に示されるように、「Set Special」タブには、編集ツールが、「Cherry」、「おなまえ」、「ペン」、「スタンプ」、「メッセージ」といったジャンル毎のタブに表示されるようになされている。図２４の例では、編集用パレット５１２−１において、「Cherry」タブが選択されており、編集用パレット５１２−２において、「ペン」タブが選択されている。
【０１８３】
「Cherry」タブが選択されている編集用パレット５１２−１には、編集ツールとして編集画像に合成される合成用画像の１つであるスタンプ画像が表示されている。スタンプ画像のうちのいずれかが利用者に選択され、編集画像表示部５１１−１に表示されている編集画像上の所定の位置が選択されると、対応するスタンプ画像が編集画像に合成されるようになる。
【０１８４】
編集用パレット５１２−１に表示されているスタンプ画像には、利用者の人数に応じたスタンプ画像、具体的には、図２３のフローチャートのステップＳ３２において利用者によって入力された利用者の名前を表す文字（文字列）を含むおなまえスタンプ画像５３１と、利用者の名前に依らない、所定のメッセージやその日の日付を含む共通スタンプ画像５３２とがある。
【０１８５】
図２４の例では、おなまえスタンプ画像５３１として、２人の利用者の名前である「なつみ」および「どうむ」を、ひらがなまたはアルファベットで表記した文字列を含むスタンプ画像が表示されている。図２４においては、おなまえスタンプ画像５３１として、８個のスタンプ画像が表示されているのに対して、共通スタンプ画像５３２として、９個のスタンプ画像が表示されている。
【０１８６】
また、編集画像表示部５１１−１の右側には、１回の操作で複数の落書き編集入力を行えるようにするための一発落書きボタン５１３−１と、写真シール作成装置１の機種名を表すデザインロゴが描かれたロゴ表示部５１４−１が設けられている。同様に、編集画像表示部５１１−２の左側には、一発落書きボタン５１３−２と、ロゴ表示部５１４−２が設けられている。
【０１８７】
［３人用コースが選択された場合の編集画面］
次に、図２５を参照して、３人用コースが選択された場合の編集画面について説明する。
【０１８８】
３人用コースが選択された場合の編集画面は、基本的には２人用コースが選択された場合の編集画面と同様である。
【０１８９】
ただし、図２５の編集画面５０１において、編集画像表示部５１１−１，５１１−２には、利用者の人数に応じた画角の編集対象画像、すなわちこの場合、縦横比が約３：４の画角の編集対象画像が表示される。
【０１９０】
また、図２５の例では、おなまえスタンプ画像５３１として、３人の利用者の名前である「なつみ」、「どうむ」、および「ひろみ」を、ひらがなまたはアルファベットで表記した文字列を含むスタンプ画像が表示されている。そして、図２５においては、おなまえスタンプ画像５３１として、１０個のスタンプ画像が表示されているのに対して、共通スタンプ画像５３２として、７個のスタンプ画像が表示されている。
【０１９１】
［４人用コースが選択された場合の編集画面］
最後に、図２６を参照して、４人用コースが選択された場合の編集画面について説明する。
【０１９２】
４人用コースが選択された場合の編集画面もまた、基本的には２人用コースが選択された場合の編集画面と同様である。
【０１９３】
ただし、図２６の編集画面５０１において、編集画像表示部５１１−１，５１１−２には、利用者の人数に応じた画角の編集対象画像、すなわちこの場合、縦横比が約９：１６の画角の編集対象画像が表示される。
【０１９４】
また、これに伴い、図２６の編集画面５０１においては、一発落書きボタン５１３−１，５１３−２、ロゴ表示部５１４−１，５１４−２、落書き作業に用いられるボタンの一部の配置が、図２４や図２５の編集画面５０１とは異なる配置とされている。
【０１９５】
さらに、図２６の例では、おなまえスタンプ画像５３１には、４人の利用者の名前である「なつみ」、「どうむ」、「ひろみ」、および「まりこ」を、ひらがなまたはアルファベットで表記した文字列を含むスタンプ画像が表示されている。そして、図２６においては、おなまえスタンプ画像５３１として、１２個のスタンプ画像が表示されているのに対して、共通スタンプ画像５３２として、５個のスタンプ画像が表示されている。
【０１９６】
このように、利用者の人数に応じて編集対象画像の画角が異なるので、その編集画面５０１のレイアウトもまた、利用者の人数に応じて変更されて表示されるようになる。
【０１９７】
また、利用者の人数に応じて、利用者それぞれの名前を含むおなまえスタンプ画像５３１の数も変化するので、共通スタンプ画像５３２は、その優先度に応じて選択的に表示されるようにする。なお、編集用パレット５１２−１，５１２−２に表示されるタブ自体は、利用者の操作性や視認性を考慮して、利用者の人数によらず同一とされる。
【０１９８】
なお、おなまえスタンプ画像５３１として、例えば「仲良し２人組！」のような、人数を含む文字列のスタンプ画像を用意するようにして、利用者の人数に応じて、「仲良し３人組！」や「仲良し４人組！」等のように変更して表示させるようにしてもよい。
【０１９９】
以上のように、編集画面５０１においては、利用者の人数に応じた画角の編集対象画像が表示されるので、利用者は、人物（被写体）の配置のバランスのよい編集対象画像を確認しながら落書き編集入力を行うことができ、結果として、より満足度の高い画像を得ることができる。
【０２００】
［印刷処理の例］
次に、図２７のフローチャートを参照して、上述した写真シール作成ゲームの一連の処理におけるステップＳ６の印刷処理の流れを説明する。
【０２０１】
印刷処理が開始されると、ステップＳ６１において、印刷処理部３０３は、編集処理により生成され、保存されている編集済み画像と、利用者の人数に応じたレイアウト情報を、記憶部２０２から取得する。
【０２０２】
ステップＳ６２において、印刷処理部３０３は、取得した編集済み画像を、レイアウト情報で示されるシールレイアウトに配置した印刷データを生成する。
【０２０３】
ステップＳ６３において、印刷処理部３０３は、プリンタ２４１を制御し、その印刷データのシール紙への印刷を開始する。印刷が開始されると、その印刷は継続されながら、図１３のステップＳ７に戻り、それ以降の処理が行われる。
【０２０４】
印刷が終了すると、印刷済みのシール紙は、シール紙排出口１６３から排出される。
【０２０５】
上述したように、シール紙には、利用者の人数に応じたシールレイアウトで印刷画像（編集済み画像）が配置される。以下においては、２人用コース、３人用コース、および４人用コースが選択された場合のシールレイアウトについて説明する。
【０２０６】
［２人用コース選択時のシールレイアウトの例］
図２８は、２人用コース選択時のシールレイアウトの例を示す図である。
【０２０７】
図２８の例においては、シール紙６０１は縦向きに用いられる。シール紙６０１には、周囲に余白を残して上３分の１の領域に１枚の画像が配置され、その下に、２枚の画像が左右にずれて縦に２枚配置され、さらにその下に、縦に２枚ずつ、横に２枚ずつ並べて４枚の画像が配置される。上述したように、２人用コースの場合、縦横比が約１：1.2の画像が出力される。したがって、シール紙６０１に配置される各画像も縦横比が約１：1.2の画像となり、また、全て同一の向き（横長となる向き）で配置される。
【０２０８】
このシール紙６０１は、利用者の人数分、すなわち２枚出力される。
【０２０９】
なお、図２８においてシール紙６０１に配置されている画像は、実際には、編集が施された６種類の画像であるものとする。  
【０２１０】
［３人用コース選択時のシールレイアウトの例］
図２９は、３人用コース選択時のシールレイアウトの例を示す図である。
【０２１１】
図２９の例においては、シール紙６０２は横向きに用いられる。シール紙６０２には、縦に６枚ずつ、横に６枚ずつの、３６枚の画像が配置される。３人用コースの場合、縦横比が約３：４の画像が出力される。したがって、シール紙６０２に配置される各画像も縦横比が約３：４の画像となり、また、全て同一の向きで配置される。
【０２１２】
このシール紙６０２は、１枚のみ出力され、利用者により切り分けられるが、シール紙６０２においては、全ての画像の縦横比が約３：４であるので、一見して３等分しやすく、３人で切り分ける際にも切り分けやすい。
【０２１３】
また、シール紙６０２においては、同じ種類の画像が縦に並ぶようにして、画像１乃至６の６種類の画像が配置されるようにしてもよい。
【０２１４】
さらに、左端の列には上から画像１，２，３，４，５，６の順に配置され、左から２列目には上から画像２，３，４，５，６，１の順に配置され、左から３列目には上から画像３，４，５，６，１，２の順に配置されるといったように、順番をずらして６種類の画像が配置されるようにしてもよい。この場合、左から４列目には上から画像４，５，６，１，２，３の順に配置され、左から５列目には上から画像５，６，１，２，３，４の順に配置され、右端の列には上から画像６，１，２，３，４，５の順に配置される。これにより、縦方向に１列を切り分けた場合だけでなく、横方向に１行を切り分けた場合でも、その切り分けた範囲内に６種類の画像が含まれることになる。
【０２１５】
なお、図２９においてシール紙６０２に配置されている画像は、全て同じ画像とされているが、実際には、撮影され、編集が施された６種類の画像であるものとする。以下に示すシールレイアウトの例においても同様とする。
【０２１６】
［４人用コース選択時のシールレイアウトの例］
図３０は、４人用コース選択時のシールレイアウトの例を示す図である。
【０２１７】
図３０の例においては、シール紙６０３は縦向きに用いられる。シール紙６０３には、その全体を縦に２等分、横に２等分するようにミシン目が形成される。４等分した１つの領域には、周囲に余白を残して、ほぼ上半分に１枚の画像が配置され、その下に、縦に２枚ずつ、横に２枚ずつ並べて４枚の画像が配置される。４人用コースの場合、縦横比が約９：１６の画像が出力される。したがって、シール紙６０３に配置される各画像も縦横比が約９：１６の画像となり、また、全て同一の向きで配置される。
【０２１８】
このシール紙６０３は、１枚のみ出力され、利用者によってミシン目に沿って切り分けられる。シール紙６０３においては、シール紙６０３をミシン目に沿って切り分けた場合に、余白の幅が全て同一の幅となるようなシールレイアウトとされている。
【０２１９】
図３１は、４人用コース選択時のシールレイアウトの他の例を示す図である。
【０２２０】
図３１の例においては、シール紙６０４は横向きに用いられる。シール紙６０４には、縦に５枚ずつ、横に４枚ずつの、２０枚の画像が配置される。図３０と同様、シール紙６０４に配置される各画像も縦横比が約９：１６の画像となり、また、全て同一の向きで配置される。このシール紙６０４もまた、１枚のみ出力され、利用者により切り分けられる。
【０２２１】
上述したように、利用者が５人の場合、利用者は４人用コースを選択し、また、４人用コースでは４回の撮影が行われ、４枚の画像が得られる。
【０２２２】
そこで、図３１に示されるように、シール紙６０４において、破線で示される領域６０４ａ，６０４ｂ，６０４ｃ，６０４ｄ，６０４ｅそれぞれに、４枚の画像が配置されるようにすることで、シール紙６０４を５人で切り分けた場合でも、４枚の画像が印刷されたシール紙が、それぞれの利用者に均等に行き渡るようにすることができる。
【０２２３】
なお、本実施の写真シール作成装置１においては、写真のような自然な写りを実現するため、画像の背景色として白色または白色系の色が主に設定される。そこで、この背景色と、画像が印刷される領域の周囲の余白部分との境界を明確にするために、その境界部分に、例えば黒色の境界線を印刷するようにしたり、周囲の余白部分自体の色を、例えば黒色とするようにしてもよい。
【０２２４】
さらに、従来、後述する事後接客処理においてサーバに送信される画像を、利用者が所有する携帯端末で受信するために必要なメールアドレスやシールIDを、シール紙の縁に印字するようにしていたが、シール紙全体の印刷がずれてしまった場合、メールアドレスやシールIDが途切れてしまう恐れがあった。
【０２２５】
そこで、シール紙６０３に示されるように、メールアドレスやシールIDを、シール紙の縁より内側の領域に印字することで、シール紙全体の印刷がずれてしまった場合であっても、メールアドレスやシールIDが途切れてしまうことを防ぐことができる。
【０２２６】
以上のように、利用者の人数に応じた画角の印刷画像がシール紙に印刷されるので、利用者は、人物（被写体）の配置のバランスのよい画像が印刷シール紙を得ることができ、結果として、利用者の満足度をより高めることができる。
【０２２７】
また、シール紙において、画角が異なる画像が混在する場合、シール紙全体として、その美観を損ねることがあったが、上述したシール紙に印刷される画像は全て同一の画角（縦横比）であり、かつ同一の向きで配置されているので、シール紙全体としても美観を保つことができる。
【０２２８】
［事後接客処理の例］
次に、図３２のフローチャートを参照して、上述した写真シール作成ゲームの一連の処理におけるステップＳ７の事後接客処理の流れを説明する。
【０２２９】
ステップＳ９１において、事後接客処理部３０４は、タブレット内蔵モニタ１６１に携帯送信用画像選択画面を表示させ、利用者に携帯送信用画像として、例えば１枚の撮影画像を選択させる。ここで、携帯送信用画像として選択される撮影画像は、１枚に限らず、２枚以上であってもよいし、また、撮影画像に限らず、携帯送信用画像として編集済み画像が選択されるようにしてもよい。
【０２３０】
ステップＳ９２において、事後接客処理部３０４は、利用者による、利用者の所有する携帯端末のメールアドレスの入力を受け付ける。
【０２３１】
ステップＳ９３において、事後接客処理部３０４は、所定の時間が経過したか、または終了ボタンが操作されたか否かを判定する。
【０２３２】
所定の時間が経過しておらず、かつ終了ボタンが操作されていない場合、処理はステップＳ９２に戻り、メールアドレスの入力を引き続き受け付ける。
【０２３３】
そして、ステップＳ９３において、所定の時間が経過したか、または終了ボタンが操作されたと判定された場合、処理はステップＳ９４に進む。
【０２３４】
ステップＳ９４において、事後接客処理部３０４は、通信部２０３を制御し、インターネットなどのネットワークを介して、利用者により選択された携帯送信用画像を、利用者により入力されたメールアドレスとともに、例えば写真シール作成装置１の製造メーカが管理するサーバに送信する。
【０２３５】
サーバは、利用者により入力されたメールアドレス宛てに、携帯端末がサーバにアクセスするのに必要なURLが記載されたメールを送信する。そして、そのURLに基づいて、利用者が所有する携帯端末が、インターネットなどのネットワークを介して、サーバにアクセスすることで、サーバに送信された携帯送信用画像が携帯端末に提供される。この携帯送信用画像もまた、利用者の人数に応じた画角の画像となる。
【０２３６】
例えば、携帯端末の表示部の縦横比が９：１６である場合には、４人用コースで得られた携帯送信用画像は、その縦横比を変えて表示される必要がないので、画像サイズの変更による画質の低下なく表示されるようになり、利用者の満足度を向上させることができる。
【０２３７】
なお、携帯送信用画像が提供される対象は、利用者が所有する携帯端末としたが、他の利用者が所有する携帯端末であってもよく、また、携帯端末に限らず、パーソナルコンピュータ等の電子機器であってもよい。
【０２３８】
以上においては、撮影処理において、利用者により人数が選択され、その選択された人数に応じた画角で撮影が行われるものとしたが、撮影処理部３０１が、カメラ９１に取り込まれた画像に基づいて、利用者の人数を検知し、その検知された人数に応じた画角で撮影を行うようにしてもよい。
【０２３９】
［撮影処理の他の例］
そこで、図３３のフローチャートを参照して、検知された人数に応じた画角で撮影が行われる撮影処理について説明する。
【０２４０】
なお、図３３のフローチャートにおけるステップＳ１１１，Ｓ１１３乃至Ｓ１２０の処理は、図１２のフローチャートにおけるステップＳ１１，Ｓ１３乃至Ｓ２０の処理と同様であるので、その説明は省略する。
【０２４１】
すなわち、ステップＳ１１２において、撮影処理部３０１は、カメラ９１を制御し、画像の取り込みを開始させ、ライブビュー画像をタッチパネルモニタ９２に表示させるとともに、カメラ９１により取り込まれたライブビュー画像に基づいて、例えば顔認証等の処理を行うことにより、利用者の人数を検知する。
【０２４２】
これにより、検知された人数に応じて照明装置２２３が制御され、検知された人数に応じた画角で撮影が行われるようになる。
【０２４３】
ここでは、検知された人数に応じた照明装置２２３の制御として、利用者の人数が多い場合には、外側に立っている利用者よりも、内側に立っている利用者の方が、光が照射されにくいため、利用者の人数が少ない場合に比べて、各ストロボの発光量を大きくする等の制御を行うようにする。これにより、利用者の人数が多い場合でも、内側に立っている利用者だけが暗く写ることなく、撮影が行われるようになる。
【０２４４】
なお、以上においては、利用者の人数に応じた画角で撮影が行われるようにしたが、利用者により選択された写りに応じた画角で撮影が行われるようにしてもよい。
【０２４５】
［撮影処理のさらに他の例］
そこで、図３４のフローチャートを参照して、利用者に選択された写りに応じた画角で撮影が行われる撮影処理について説明する。
【０２４６】
なお、図３４のフローチャートにおけるステップＳ１３１乃至Ｓ１３４，Ｓ１３６，Ｓ１３８乃至Ｓ１２０の処理は、図１２のフローチャートにおけるステップＳ１１乃至Ｓ１４，Ｓ１６，Ｓ１８乃至Ｓ２０の処理と同様であるので、その説明は省略する。
【０２４７】
すなわち、ステップＳ１３５において、撮影処理部３０１は、写りに応じた画角で、ライブビュー画像を取り込む。そして、ステップＳ１３７において、撮影処理部３０１は、写りに応じた画角で撮影を行う。例えば、撮影処理部３０１は、かわいい写りとなるかわいいコースと、きれいな写りとなるきれいコースとで、異なる画角でライブビュー画像を取り込み、撮影を行う。
【０２４８】
なお、図３４の撮影処理においては、写りに応じて照明装置２２３の発光を制御させるようにしてもよいし、写りに応じて撮影回数を変更させたり、識別撮影を行うようにしてもよい。
【０２４９】
さらに、図３４の撮影処理が行われた場合には、編集処理において、写りに応じたレイアウトの編集画面が表示されたり、印刷処理において、写りに応じたシールレイアウトのシール紙が印刷されるようにもできる。
【０２５０】
上述した一連の処理は、ハードウェアにより実行させることもできるし、ソフトウェアにより実行させることもできる。上述した一連の処理をソフトウェアにより実行させる場合には、そのソフトウェアを構成するプログラムが、ネットワークや記録媒体からインストールされる。
【０２５１】
この記録媒体は、例えば、図９に示されるように、装置本体とは別に、写真シール作成装置１の管理者にプログラムを配信するために配布される、プログラムが記録されている磁気ディスク（フレキシブルディスクを含む）、光ディスク（CD-ROMおよびDVDを含む）、光磁気ディスク（MDを含む）、もしくは半導体メモリなどよりなるリムーバブルメディア２０５により構成されるだけでなく、装置本体に予め組み込まれた状態で管理者に配信される、プログラムが記録されているROM２０６や、記憶部２０２に含まれるハードディスクなどで構成される。
【０２５２】
なお、本明細書において、記録媒体に記録されるプログラムを記述するステップは、記載された順序に沿って時系列的に行われる処理はもちろん、必ずしも時系列的に処理されなくとも、並列的あるいは個別に実行される処理をも含むものである。
【０２５３】
以上において、印刷媒体は、シール紙や写真紙に限られるものではなく、例えば、所定のサイズの紙やフィルム、ポスター用の紙、テレホンカードなどのカード、あるいは、Ｔシャツなどの布地などに印刷するようにしてもよい。
【０２５４】
また、本発明の実施の形態は、上述した実施の形態に限定されるものではなく、本発明の要旨を逸脱しない範囲において種々の変更が可能である。
【符号の説明】
【０２５５】
１  写真シール作成装置
１１  撮影ユニット
１２  編集部
１３  事後接客部
２０１  制御部
２０８  撮影部
２０９  編集部
２１０  事後接客部
３０１  撮影処理部
３０２  編集処理部
３０３  印刷処理部
３０４  事後接客処理部
【図１】
2014216946.tif 000003
【図２】
2014216946.tif 000004
【図３】
2014216946.tif 000005
【図４】
2014216946.tif 000006
【図５】
2014216946.tif 000007
【図６】
2014216946.tif 000008
【図７】
2014216946.tif 000009
【図８】
2014216946.tif 000010
【図９】
2014216946.tif 000011
【図１０】
2014216946.tif 000012
【図１１】
2014216946.tif 000013
【図１２】
2014216946.tif 000014
【図１３】
2014216946.tif 000015
【図１４】
2014216946.tif 000016
【図１５】
2014216946.tif 000017
【図１６】
2014216946.tif 000018
【図１７】
2014216946.tif 000019
【図１８】
2014216946.tif 000020
【図１９】
2014216946.tif 000021
【図２０】
2014216946.tif 000022
【図２１】
2014216946.tif 000023
【図２２】
2014216946.tif 000024
【図２３】
2014216946.tif 000025
【図２４】
2014216946.tif 000026
【図２５】
2014216946.tif 000027
【図２６】
2014216946.tif 000028
【図２７】
2014216946.tif 000029
【図２８】
2014216946.tif 000030
【図２９】
2014216946.tif 000031
【図３０】
2014216946.tif 000032
【図３１】
2014216946.tif 000033
【図３２】
2014216946.tif 000034
【図３３】
2014216946.tif 000035
【図３４】
2014216946.tif 000036
【手続補正書】
【提出日】平成25年11月11日(2013.11.11)
【手続補正１】
【補正対象書類名】明細書
【補正対象項目名】００１２
【補正方法】変更
【補正の内容】
【００１２】
本発明の一側面の画像出力装置は、利用者を被写体として撮影し、撮影画像を出力する撮影処理手段と、前記撮影画像に対して前記利用者に編集入力を行わせ、編集が施された編集済み画像を出力する編集処理手段と、前記撮影画像または前記編集済み画像を、シール紙に印刷された印刷画像および／または所定の端末に送信するための送信用画像として出力する出力処理手段とを備え、前記撮影画像、前記編集済み画像、前記印刷画像、および前記送信用画像の全て、または少なくともいずれか１つは、前記撮影画像における前記被写体の人数に応じた縦横比で出力される。
【手続補正２】
【補正対象書類名】明細書
【補正対象項目名】００１３
【補正方法】変更
【補正の内容】
【００１３】
前記撮影処理手段には、前記利用者に、前記被写体として撮影される前記利用者の人数を選択させ、前記撮影画像、前記編集済み画像、前記印刷画像、および前記送信用画像の全て、または少なくともいずれか１つは、選択された前記利用者の人数に応じた縦横比で出力されるようにすることができる。
【手続補正３】
【補正対象書類名】明細書
【補正対象項目名】００１４
【補正方法】変更
【補正の内容】
【００１４】
前記撮影処理手段には、前記被写体として撮影される前記利用者の人数を検知させ、前記撮影画像、前記編集済み画像、前記印刷画像、および前記送信用画像の全て、または少なくともいずれか１つは、検知された前記利用者の人数に応じた縦横比で出力されるようにすることができる。
【手続補正４】
【補正対象書類名】明細書
【補正対象項目名】００１５
【補正方法】変更
【補正の内容】
【００１５】
前記撮影処理手段には、前記利用者の人数に応じた縦横比の前記撮影画像が出力されるように、前記被写体を撮影させることができる。
【手続補正５】
【補正対象書類名】明細書
【補正対象項目名】００１９
【補正方法】変更
【補正の内容】
【００１９】
前記編集処理手段には、前記利用者による編集入力の対象となる編集対象画像の編集画面への表示を制御させ、前記利用者の人数に応じた縦横比の前記編集対象画像の表示を制御させることができる。
【手続補正６】
【補正対象書類名】明細書
【補正対象項目名】００２２
【補正方法】変更
【補正の内容】
【００２２】
前記出力処理手段には、前記撮影画像または前記編集済み画像を、前記印刷画像として前記シール紙に印刷する印刷処理手段を設け、前記印刷処理手段には、前記利用者の人数に応じた縦横比の前記印刷画像を前記シール紙に印刷させることができる。
【手続補正７】
【補正対象書類名】明細書
【補正対象項目名】００２４
【補正方法】変更
【補正の内容】
【００２４】
前記出力処理手段には、前記撮影画像または前記編集済み画像を、前記送信用画像として前記所定の端末に送信する送信処理手段を設け、前記送信処理手段には、前記利用者の人数に応じた縦横比の前記送信用画像を前記所定の端末に送信させることができる。
【手続補正８】
【補正対象書類名】明細書
【補正対象項目名】００２５
【補正方法】削除
【補正の内容】
【手続補正９】
【補正対象書類名】明細書
【補正対象項目名】００２６
【補正方法】変更
【補正の内容】
【００２６】
本発明の一側面の画像出力方法は、画像出力装置の画像出力方法であって、利用者を被写体として撮影し、撮影画像を出力し、前記撮影画像に対して前記利用者に編集入力を行わせ、編集が施された編集済み画像を出力し、前記編集済み画像を、シール紙に印刷された印刷画像および／または所定の端末に送信するための送信用画像として出力するステップを含み、前記撮影画像、前記編集済み画像、前記印刷画像、および前記送信用画像の全て、または少なくともいずれか１つは、前記撮影画像における前記被写体の人数に応じた縦横比で出力される。
【手続補正１０】
【補正対象書類名】明細書
【補正対象項目名】００２７
【補正方法】変更
【補正の内容】
【００２７】
本発明の一側面のプログラムは、コンピュータに、利用者を被写体として撮影し、撮影画像を出力し、前記撮影画像に対して前記利用者に編集入力を行わせ、編集が施された編集済み画像を出力し、前記編集済み画像を、シール紙に印刷された印刷画像および／または所定の端末に送信するための送信用画像として出力するステップを含む処理を実行させ、前記撮影画像、前記編集済み画像、前記印刷画像、および前記送信用画像の全て、または少なくともいずれか１つは、前記撮影画像における前記被写体の人数に応じた縦横比で出力される。
【手続補正１１】
【補正対象書類名】明細書
【補正対象項目名】００２８
【補正方法】変更
【補正の内容】
【００２８】
本発明の一側面においては、撮影画像、編集済み画像、印刷画像、および送信用画像の全て、または少なくともいずれか１つは、撮影画像における被写体の人数に応じた縦横比で出力される。
【手続補正１２】
【補正対象書類名】特許請求の範囲
【補正対象項目名】全文
【補正方法】変更
【補正の内容】
【特許請求の範囲】
【請求項１】
利用者を被写体として撮影し、撮影画像を出力する撮影処理手段と、
前記撮影画像に対して前記利用者に編集入力を行わせ、編集が施された編集済み画像を出力する編集処理手段と、
前記撮影画像または前記編集済み画像を、シール紙に印刷された印刷画像および／または所定の端末に送信するための送信用画像として出力する出力処理手段と
を備え、
前記撮影画像、前記編集済み画像、前記印刷画像、および前記送信用画像の全て、または少なくともいずれか１つは、前記撮影画像における前記被写体の人数に応じた縦横比で出力される
画像出力装置。
【請求項２】
前記撮影処理手段は、前記利用者に、前記被写体として撮影される前記利用者の人数を選択させ、
前記撮影画像、前記編集済み画像、前記印刷画像、および前記送信用画像の全て、または少なくともいずれか１つは、選択された前記利用者の人数に応じた縦横比で出力される
請求項１に記載の画像出力装置。
【請求項３】
前記撮影処理手段は、前記被写体として撮影される前記利用者の人数を検知し、
前記撮影画像、前記編集済み画像、前記印刷画像、および前記送信用画像の全て、または少なくともいずれか１つは、検知された前記利用者の人数に応じた縦横比で出力される
請求項１に記載の画像出力装置。
【請求項４】
前記撮影処理手段は、前記利用者の人数に応じた縦横比の前記撮影画像が出力されるように、前記被写体を撮影する
請求項２または３に記載の画像出力装置。
【請求項５】
前記撮影処理手段は、前記利用者の人数に応じた回数だけ、前記被写体を撮影する
請求項２乃至４のいずれかに記載の画像出力装置。
【請求項６】
前記撮影処理手段は、前記利用者の人数に応じて前記利用者それぞれを識別し、前記利用者それぞれの前記撮影画像を出力する識別撮影を行う
請求項２乃至５のいずれかに記載の画像出力装置。
【請求項７】
前記利用者に光を照射する照明手段をさらに備え、
前記撮影処理手段は、前記利用者の人数に応じて前記照明手段によって照射される光の光量を制御して、前記被写体を撮影する
請求項２乃至６のいずれかに記載の画像出力装置。
【請求項８】
前記編集処理手段は、前記利用者による編集入力の対象となる編集対象画像の編集画面への表示を制御し、前記利用者の人数に応じた縦横比の前記編集対象画像の表示を制御する
請求項２または３に記載の画像出力装置。
【請求項９】
前記編集処理手段は、前記利用者の人数に応じたレイアウトの前記編集画面の表示を制御する
請求項８に記載の画像出力装置。
【請求項１０】
前記編集処理手段は、前記利用者に選択され、前記編集対象画像に合成される合成用画像であって、前記利用者の人数に応じた合成用画像の表示を制御する
請求項８または９に記載の画像出力装置。
【請求項１１】
前記出力処理手段は、前記撮影画像または前記編集済み画像を、前記印刷画像として前記シール紙に印刷する印刷処理手段を備え、
前記印刷処理手段は、前記利用者の人数に応じた縦横比の前記印刷画像を前記シール紙に印刷する
請求項２または３に記載の画像出力装置。
【請求項１２】
前記印刷処理手段は、前記利用者の人数に応じたレイアウトで前記印刷画像が配置された前記シール紙を印刷する
請求項１１に記載の画像出力装置。
【請求項１３】
前記出力処理手段は、前記撮影画像または前記編集済み画像を、前記送信用画像として前記所定の端末に送信する送信処理手段を備え、
前記送信処理手段は、前記利用者の人数に応じた縦横比の前記送信用画像を前記所定の端末に送信する
請求項２または３に記載の画像出力装置。        
【請求項１４】
画像出力装置の画像出力方法であって、
利用者を被写体として撮影し、撮影画像を出力し、
前記撮影画像に対して前記利用者に編集入力を行わせ、編集が施された編集済み画像を出力し、
前記編集済み画像を、シール紙に印刷された印刷画像および／または所定の端末に送信するための送信用画像として出力する
ステップを含み、
前記撮影画像、前記編集済み画像、前記印刷画像、および前記送信用画像の全て、または少なくともいずれか１つは、前記撮影画像における前記被写体の人数に応じた縦横比で出力される
画像出力方法。
【請求項１５】
コンピュータに、
利用者を被写体として撮影し、撮影画像を出力し、
前記撮影画像に対して前記利用者に編集入力を行わせ、編集が施された編集済み画像を出力し、
前記編集済み画像を、シール紙に印刷された印刷画像および／または所定の端末に送信するための送信用画像として出力する
ステップを含む処理を実行させ、
前記撮影画像、前記編集済み画像、前記印刷画像、および前記送信用画像の全て、または少なくともいずれか１つは、前記撮影画像における前記被写体の人数に応じた縦横比で出力される
プログラム。
【手続補正書】
【提出日】平成26年7月1日(2014.7.1)
【手続補正１】
【補正対象書類名】明細書
【補正対象項目名】００１２
【補正方法】変更
【補正の内容】
【００１２】
本発明の一側面の画像出力装置は、撮影空間において、利用者を被写体として撮影し、撮影画像を出力する撮影処理手段と、編集空間において、前記撮影画像に対して前記利用者に編集入力を行わせ、編集が施された編集済み画像を出力する編集処理手段と、前記撮影画像または前記編集済み画像を、シール紙に印刷された印刷画像および／または所定の端末に送信するための送信用画像として出力する出力処理手段とを備え、前記撮影処理手段は、前記利用者に、前記被写体として撮影される前記利用者の人数を選択させ、選択された前記利用者の人数に応じた回数だけ、前記被写体を撮影し、前記撮影画像、前記編集済み画像、前記印刷画像、および前記送信用画像の全て、または少なくともいずれか１つは、選択された前記利用者の人数に応じた縦横比で出力される。
【手続補正２】
【補正対象書類名】明細書
【補正対象項目名】００１３
【補正方法】削除
【補正の内容】
【手続補正３】
【補正対象書類名】明細書
【補正対象項目名】００１４
【補正方法】削除
【補正の内容】
【手続補正４】
【補正対象書類名】明細書
【補正対象項目名】００１６
【補正方法】削除
【補正の内容】
【手続補正５】
【補正対象書類名】明細書
【補正対象項目名】００２６
【補正方法】変更
【補正の内容】
【００２６】
本発明の一側面の画像出力方法は、撮影空間において、画像出力装置の画像出力方法であって、利用者を被写体として撮影し、撮影画像を出力し、編集空間において、前記撮影画像に対して前記利用者に編集入力を行わせ、編集が施された編集済み画像を出力し、前記編集済み画像を、シール紙に印刷された印刷画像および／または所定の端末に送信するための送信用画像として出力するステップを含み、前記ステップにおいては、前記利用者に、前記被写体として撮影される前記利用者の人数を選択させ、選択された前記利用者の人数に応じた回数だけ、前記被写体が撮影され、前記撮影画像、前記編集済み画像、前記印刷画像、および前記送信用画像の全て、または少なくともいずれか１つは、選択された前記利用者の人数に応じた縦横比で出力される。
【手続補正６】
【補正対象書類名】明細書
【補正対象項目名】００２７
【補正方法】変更
【補正の内容】
【００２７】
本発明の一側面のプログラムは、コンピュータに、撮影空間において、利用者を被写体として撮影し、撮影画像を出力し、編集空間において、前記撮影画像に対して前記利用者に編集入力を行わせ、編集が施された編集済み画像を出力し、前記編集済み画像を、シール紙に印刷された印刷画像および／または所定の端末に送信するための送信用画像として出力するステップを含む処理を実行させ、前記ステップにおいては、前記利用者に、前記被写体として撮影される前記利用者の人数を選択させ、選択された前記利用者の人数に応じた回数だけ、前記被写体が撮影され、前記撮影画像、前記編集済み画像、前記印刷画像、および前記送信用画像の全て、または少なくともいずれか１つは、選択された前記利用者の人数に応じた縦横比で出力される。
【手続補正７】
【補正対象書類名】明細書
【補正対象項目名】００２８
【補正方法】変更
【補正の内容】
【００２８】
本発明の一側面においては、利用者に、被写体として撮影される利用者の人数が選択され、選択された利用者の人数に応じた回数だけ、被写体が撮影され、撮影画像、編集済み画像、印刷画像、および送信用画像の全て、または少なくともいずれか１つは、選択された利用者の人数に応じた縦横比で出力される。
【手続補正８】
【補正対象書類名】特許請求の範囲
【補正対象項目名】全文
【補正方法】変更
【補正の内容】
【特許請求の範囲】
【請求項１】
撮影空間において、利用者を被写体として撮影し、撮影画像を出力する撮影処理手段と、
編集空間において、前記撮影画像に対して前記利用者に編集入力を行わせ、編集が施された編集済み画像を出力する編集処理手段と、
前記撮影画像または前記編集済み画像を、シール紙に印刷された印刷画像および／または所定の端末に送信するための送信用画像として出力する出力処理手段と
を備え、
前記撮影処理手段は、前記利用者に、前記被写体として撮影される前記利用者の人数を選択させ、選択された前記利用者の人数に応じた回数だけ、前記被写体を撮影し、
前記撮影画像、前記編集済み画像、前記印刷画像、および前記送信用画像の全て、または少なくともいずれか１つは、選択された前記利用者の人数に応じた縦横比で出力される
画像出力装置。
【請求項２】
前記撮影処理手段は、前記利用者の人数に応じた縦横比の前記撮影画像が出力されるように、前記被写体を撮影する
請求項１に記載の画像出力装置。
【請求項３】
前記撮影処理手段は、前記利用者の人数に応じて前記利用者それぞれを識別し、前記利用者それぞれの前記撮影画像を出力する識別撮影を行う
請求項１または２に記載の画像出力装置。
【請求項４】
前記利用者に光を照射する照明手段をさらに備え、
前記撮影処理手段は、前記利用者の人数に応じて前記照明手段によって照射される光の光量を制御して、前記被写体を撮影する
請求項１乃至３のいずれかに記載の画像出力装置。
【請求項５】
前記編集処理手段は、前記利用者による編集入力の対象となる編集対象画像の編集画面への表示を制御し、前記利用者の人数に応じた縦横比の前記編集対象画像の表示を制御する
請求項１に記載の画像出力装置。
【請求項６】
前記編集処理手段は、前記利用者の人数に応じたレイアウトの前記編集画面の表示を制御する
請求項５に記載の画像出力装置。
【請求項７】
前記編集処理手段は、前記利用者に選択され、前記編集対象画像に合成される合成用画像であって、前記利用者の人数に応じた合成用画像の表示を制御する
請求項５または６に記載の画像出力装置。
【請求項８】
前記出力処理手段は、前記撮影画像または前記編集済み画像を、前記印刷画像として前記シール紙に印刷する印刷処理手段を備え、
前記印刷処理手段は、前記利用者の人数に応じた縦横比の前記印刷画像を前記シール紙に印刷する
請求項１に記載の画像出力装置。
【請求項９】
前記印刷処理手段は、前記利用者の人数に応じたレイアウトで前記印刷画像が配置された前記シール紙を印刷する
請求項８に記載の画像出力装置。
【請求項１０】
前記出力処理手段は、前記撮影画像または前記編集済み画像を、前記送信用画像として前記所定の端末に送信する送信処理手段を備え、
前記送信処理手段は、前記利用者の人数に応じた縦横比の前記送信用画像を前記所定の端末に送信する
請求項１に記載の画像出力装置。            
【請求項１１】
画像出力装置の画像出力方法であって、
撮影空間において、利用者を被写体として撮影し、撮影画像を出力し、
編集空間において、前記撮影画像に対して前記利用者に編集入力を行わせ、編集が施された編集済み画像を出力し、
前記編集済み画像を、シール紙に印刷された印刷画像および／または所定の端末に送信するための送信用画像として出力する
ステップを含み、
前記ステップにおいては、前記利用者に、前記被写体として撮影される前記利用者の人数を選択させ、選択された前記利用者の人数に応じた回数だけ、前記被写体が撮影され、
前記撮影画像、前記編集済み画像、前記印刷画像、および前記送信用画像の全て、または少なくともいずれか１つは、選択された前記利用者の人数に応じた縦横比で出力される
画像出力方法。
【請求項１２】
コンピュータに、
撮影空間において、利用者を被写体として撮影し、撮影画像を出力し、
編集空間において、前記撮影画像に対して前記利用者に編集入力を行わせ、編集が施された編集済み画像を出力し、
前記編集済み画像を、シール紙に印刷された印刷画像および／または所定の端末に送信するための送信用画像として出力する
ステップを含む処理を実行させ、
前記ステップにおいては、前記利用者に、前記被写体として撮影される前記利用者の人数を選択させ、選択された前記利用者の人数に応じた回数だけ、前記被写体が撮影され、
前記撮影画像、前記編集済み画像、前記印刷画像、および前記送信用画像の全て、または少なくともいずれか１つは、選択された前記利用者の人数に応じた縦横比で出力される
プログラム。